【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
被写体像のＲＡＷ画像データを取得する取得手段と、
前記ＲＡＷ画像データから第１の画像データを生成する第１の現像処理手段と、
記録媒体に前記ＲＡＷ画像データと前記第１の画像データを記録する記録手段と、
前記記録媒体に記録された前記ＲＡＷ画像データから第２の画像データを生成する第２の現像処理手段と、
前記ＲＡＷ画像データを表すサムネイル画像を選択可能に表示するときに、該ＲＡＷ画像データに対する前記第２の現像処理手段による処理の進捗状況を示す情報を該サムネイル画像と対応づけて表示する表示処理手段と、
を有することを特徴とする画像処理装置。
【請求項２】
前記第２の現像処理手段は、前記第１の現像処理手段より高画質な現像処理を行うことを特徴とする請求項１記載の画像処理装置。
【請求項３】
前記表示処理手段は、前記ＲＡＷ画像データが動画データの場合、前記第２の現像処理手段による処理の進捗状況を表す情報として、前記第２の現像処理手段による処理が完了した割合を示すプログレスバー、数値、もしくは円グラフを表示することを特徴とする請求項１または２に記載の画像処理装置。
【請求項４】
前記表示処理手段は、前記ＲＡＷ画像データが静止画データの場合、前記第２の現像処理手段による処理の進捗状況を表す情報として、処理済みもしくは未処理を表す情報を表示することを特徴とする請求項１から３のいずれか１項に記載の画像処理装置。
【請求項５】
前記記録手段は、前記第２の現像処理手段により生成された第２の画像データを前記記録媒体に記録することを特徴とする請求項１乃至４のいずれか１項に記載の画像処理装置。
【請求項６】
前記第２の現像処理手段による処理の進捗状況を表す情報が、前記第２の現像処理手段による処理の中断時に保存される情報に基づいて生成されることを特徴とする請求項１から５のいずれか１項に記載の画像処理装置。
【請求項７】
前記第１の現像処理手段による処理は、前記第２の現像処理手段による処理よりも処理負荷が低いことを特徴とする請求項１から６のいずれか１項に記載の画像処理装置。
【請求項８】
前記第１の現像処理手段による処理で得られる画像データは、前記第２の現像処理手段による処理で得られる画像データよりも画素数が少ないことを特徴とする請求項１から７のいずれか１項に記載の画像処理装置。
【請求項９】
前記第１の現像処理手段による処理は、前記第２の現像処理手段による処理よりも工程の数が少ないか、前記第２の現像処理手段による処理よりも精度が低いか、の少なくとも一方であることを特徴とする請求項１から８のいずれか１項に記載の画像処理装置。
【請求項１０】
前記記録媒体に記録されている前記ＲＡＷ画像データについての前記第２の現像処理手段による処理の進捗に応じて、前記第１の現像処理手段による処理を行って得られた前記第１の画像データ、又は、前記第２の現像処理手段による処理を行って得られた前記第２の画像データのいずれかを再生することを特徴とする請求項１から９のいずれか１項に記載の画像処理装置。
【請求項１１】
前記記録媒体に記録されている前記ＲＡＷ画像データについての前記第２の現像処理手段による処理が未終了の場合、再生命令に応じて、動画の少なくとも先頭シーンでは前記第２の現像処理手段による処理を行って得られた前記第２の画像データを再生し、前記動画の途中から前記第１の現像処理手段による処理を行って得られた前記第１の画像データを再生することを特徴とする請求項１から１０のいずれか１項に記載の画像処理装置。
【請求項１２】
前記記録媒体および前記第２の現像処理手段は、外部機器に存在し、
前記表示処理手段は、前記外部機器から取得した情報が示す前記第２の現像処理手段による処理の進捗状況に基づいて、前記表示を行うことを特徴とする請求項１に記載の画像処理装置。
【請求項１３】
前記外部機器から前記情報を通信路を介して取得する通信部をさらに有することを特徴とする請求項１２に記載の画像処理装置。
【請求項１４】
前記記録媒体が、さらに前記画像処理装置にも存在し、
前記表示処理手段は、前記画像処理装置における前記第２の現像処理手段による処理の進捗状況と、前記外部機器から取得した前記情報が示す前記第２の現像処理手段による処理の進捗状況との比較に基づいて、前記表示を行うことを特徴とする請求項１２または１３に記載の画像処理装置。
【請求項１５】
前記表示処理手段は、前記画像処理装置における前記第２の現像処理手段による処理の進捗状況と、前記外部機器から取得した前記情報が示す前記第２の現像処理手段による処理の進捗状況とのうち、処理が進んでいる方の進捗状況を表す情報を表示することを特徴とする請求項１４に記載の画像処理装置。
【請求項１６】
前記外部機器は、前記第２の現像処理手段による処理をアプリケーションプログラムに従って実行する携帯端末もしくは汎用コンピュータであることを特徴とする請求項１２から１５のいずれか１項に記載の画像処理装置。
【請求項１７】
前記外部機器は、前記第２の現像処理手段を備えるサーバもしくは撮像装置であることを特徴とする請求項１２から１５のいずれか１項に記載の画像処理装置。
【請求項１８】
第１の現像処理手段が、取得したＲＡＷ画像データから第１の画像データを生成する第１の現像処理工程と、
記録手段が、前記ＲＡＷ画像データと、前記第１の画像データとを記録媒体に書き込む工程と、
第２の現像処理手段が、前記記録媒体に記録された前記ＲＡＷ画像データから第２の画像データを生成する第２の現像処理工程と、
表示処理手段が、前記ＲＡＷ画像データを表すサムネイル画像を選択可能に表示するときに、該ＲＡＷ画像データに対する前記第２の現像処理工程の進捗状況を示す情報を該サムネイル画像と対応づけて表示する表示処理工程と、
を有することを特徴とする画像処理装置の制御方法。
【請求項１９】
コンピュータを、請求項１から１７のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００１
【補正方法】変更
【補正の内容】
【０００１】
本発明は、画像処理装置及びその制御方法に関し、特に、動画又は静止画のＲＡＷ画像を扱う技術に関する。
【手続補正４】
【補正対象書類名】明細書
【補正対象項目名】０００８
【補正方法】変更
【補正の内容】
【０００８】
本発明の目的は、高速に現像処理を行う回路を必要とせずに、かつ、必要な際には容易に再生可能にＲＡＷ画像を記録することが可能な画像処理装置及びその制御方法を提供することにある。
【手続補正５】
【補正対象書類名】明細書
【補正対象項目名】０００９
【補正方法】変更
【補正の内容】
【０００９】
上述の目的は、被写体像のＲＡＷ画像データを取得する取得手段と、ＲＡＷ画像データから第１の画像データを生成する第１の現像処理手段と、記録媒体にＲＡＷ画像データと第１の画像データを記録する記録手段と、記録媒体に記録されたＲＡＷ画像データから第２の画像データを生成する第２の現像処理手段と、ＲＡＷ画像データを表すサムネイル画像を選択可能に表示するときに、ＲＡＷ画像データに対する第２の現像処理手段による処理の進捗状況を示す情報をサムネイル画像と対応づけて表示する表示処理手段と、を有することを特徴とする画像処理装置によって達成される。
【手続補正６】
【補正対象書類名】明細書
【補正対象項目名】００１０
【補正方法】変更
【補正の内容】
【００１０】
本発明によれば、高速に現像処理を行う回路を必要とせずに、かつ、必要な際には容易に再生可能にＲＡＷ画像を記録することが可能な画像処理装置およびその制御方法を提供することができる。
【手続補正７】
【補正対象書類名】明細書
【補正対象項目名】００１２
【補正方法】変更
【補正の内容】
【００１２】
以下、添付図面を参照しながら、本発明の例示的な実施形態を詳細に説明する。
図１は、本発明の実施形態に係る画像処理装置の一例としての撮像装置の機能構成例を示すブロック図である。これらの機能ブロックは、ＡＳＩＣなどの専用ハードウェアによって実現されてもよいし、ＭＰＵ等の汎用プロセッサがプログラムを実行することによりソフトウェア的に実現されてもよい。